(57)【特許請求の範囲】
【請求項１】
中心貫通孔を有する絶縁碍子と、前記中心貫通孔に保持され前記絶縁碍子の先端部に配設された自身の先端部に貴金属チップを有する中心電極と、前記絶縁碍子の先端部を自身の先端面から突出するように保持する主体金具と、その主体金具の前記先端面に一端が接合され他端が前記中心電極の先端面に対向して主気中ギャップを形成するように配設された平行接地電極とを備えるとともに、前記主体金具に一端が接合され他端が前記中心電極の側周面若しくは前記絶縁碍子の側周面の少なくともいずれか一方に対向してセミ沿面ギャップを形成するように配設された複数のセミ沿面接地電極を備えるスパークプラグであって、
前記中心電極の軸線と平行な仮想平面に対して投影したときに、その正射影像での前記中心電極の先端部において、軸線方向において内燃機関へ向かう側を前方側とするその軸線方向前方側に向かって縮径する縮径部が形成されるとともに、該縮径部の軸線方向中間位置に前記仮想平面における外面外形線が前記軸線に関する半径方向外向きに凸となる凸部が形成されて、該凸部の頂点（以下「凸部頂点」ともいう）と前記絶縁碍子の先端との前記軸線方向における距離が０．５ｍｍ以内に設定され、さらに、前記凸部頂点からの前記軸線方向後方側１．５ｍｍの位置において、前記中心電極の表層部を形成する電極母材に周りを囲まれる形で該電極母材よりも熱伝導率が高く、かつ線膨張係数が大きい放熱促進用金属部が存在し、かつその軸線方向後方側１．５ｍｍの位置における前記電極母材の肉厚が０．６ｍｍ以上となるよう形成され、前記放熱促進用金属部は、前記仮想平面において少なくとも前記凸部頂点からの前記軸線方向後方側１．５ｍｍの位置より前記中心電極の先端側に位置する部位に渡って該先端側に向かうほど、その外形線の幅が狭くなるよう構成されることを特徴とするスパークプラグ。
【請求項２】
前記中心電極の内部において、前記電極母材の火花ギャップ側先端を基点とする前記軸線方向における距離１．５ｍｍ以内の位置に、前記放熱促進用金属部が形成されている請求項１に記載のスパークプラグ。
【発明の詳細な説明】
【０００１】
【発明の属する技術分野】
本発明は、内燃機関用のスパークプラグに関する。
【０００２】
【従来の技術】
従来のスパークプラグは、絶縁碍子の先端面から下方に突出するようにされた中心電極と、この中心電極に対向して配設され一端が主体金具に接合された平行接地電極とを備え、中心電極と平行接地電極との間の気中ギャップに火花放電させて燃料混合ガスに着火するものが一般的である。このような平行対向型スパークプラグに対し、耐汚損性を改善した内燃機関用のスパークプラグとして沿面放電型スパークプラグと呼ばれるものが知られている。これは、火花放電ギャップにて発生する火花が、常時あるいは条件により、絶縁碍子表面を経由した沿面放電形態にて伝播するように構成したものである。
【０００３】
例えばセミ沿面放電型スパークプラグと称されるものは、中心貫通孔を有する絶縁碍子と、中心貫通孔に保持され絶縁碍子の先端部に配設された中心電極と、絶縁碍子の先端部を自身の先端面から突出するように保持する主体金具と、主体金具に一端が接合され他端が中心電極の側周面若しくは絶縁碍子の側周面に対向するように配設されたセミ沿面接地電極を備える。そして、沿面放電時には、セミ沿面接地電極の発火面と絶縁碍子表面との間が気中放電となる以外は、絶縁碍子先端面の表面に沿う形態にて飛火する形となる。この沿面放電型のスパークプラグによれば、絶縁体表面を這う形で火花放電が生ずるため、汚損物質が絶えず焼き切られる形となり、気中放電型のスパークプラグと比べて耐汚損性が向上する。
【０００４】
さらに、そのような平行対向型とセミ沿面放電型の両機能を組み合わせたハイブリッド型スパークプラグが提供され、これによると、絶縁体の先端面が汚損していない場合でもセミ沿面ギャップで飛火するように各部寸法設定を行っているため、耐汚損性を達成しつつもチャンネリングを効果的に抑制し、かつ着火性を向上することが可能となった。
【０００５】
【発明が解決しようとする課題】
ところで、上記のような平行接地電極とセミ沿面接地電極を備えて構成されるハイブリッド型スパークプラグにおいて、中心電極の内部において当該中心電極の放熱を促進するために、電極母材よりも熱伝導に優れた材質からなる放熱促進用金属部が設けられるものが提供されている。このような、放熱促進用金属部は、図８のごとく電極母材の内部に設けられて中心電極全体の放熱を促進し、中心電極の熱引きを良好にする。このような放熱促進用の金属部については電極母材内において占める割合が高いほど放熱効果が高くなる。
【０００６】
しかしながら、中心電極の熱引き効果を高めるために、当該中心電極全体における放熱促進用金属部の占める割合を大きくとると、その構造上必然的に電極母材の肉厚が小さくなり、その結果、セミ沿面ギャップでの火花放電に起因する電極母材の表面消耗に対する耐久性が低下する可能性がある。
【０００７】
本発明の解決すべき課題は、中心電極の熱引きが良好でありかつ電極母材の消耗に対する耐久性に優れたスパークプラグを提供することにある。
【０００８】
【課題を解決するための手段及び作用・効果】
上記のような課題を解決するために本発明は、
中心貫通孔を有する絶縁碍子と、中心貫通孔に保持され絶縁碍子の先端部に配設された自身の先端部に貴金属チップを有する中心電極と、絶縁碍子の先端部を自身の先端面から突出するように保持する主体金具と、その主体金具の先端面に一端が接合され他端が中心電極の先端面に対向して主気中ギャップを形成するように配設された平行接地電極とを備えるとともに、主体金具に一端が接合され他端が中心電極の側周面若しくは絶縁碍子の側周面の少なくともいずれか一方に対向してセミ沿面ギャップを形成するように配設された複数のセミ沿面接地電極を備えるスパークプラグであって、
中心電極の軸線と平行な仮想平面に対して投影したときに、その正射影像での中心電極の先端部において、軸線方向において内燃機関へ向かう側を前方側とするその軸線方向前方側に向かって縮径する縮径部が形成されるとともに、該縮径部の軸線方向中間位置に仮想平面における外面外形線が軸線に関する半径方向外向きに凸となる凸部が形成されて、該凸部の頂点（凸部頂点）と絶縁碍子の先端との軸線方向における距離が０．５ｍｍ以内に設定され、さらに、凸部頂点からの軸線方向後方側１．５ｍｍの位置において、中心電極の表層部を形成する電極母材に周りを囲まれる形で該電極母材よりも熱伝導率が高く、かつ線膨張係数が大きい放熱促進用金属部が存在し、かつその軸線方向後方側１．５ｍｍの位置における電極母材の肉厚が０．６ｍｍ以上となるよう形成され、放熱促進用金属部は、仮想平面において少なくとも凸部頂点からの軸線方向後方側１．５ｍｍの位置より中心電極の先端側に位置する部位に渡って該先端側に向かうほど、その外形線の幅が狭くなるよう構成されることを特徴とする。
【０００９】
このように、中心電極において絶縁碍子先端面との軸線方向における距離０．５ｍｍ以内の位置に凸部頂点が設定されるように凸部を形成すれば、絶縁碍子先端面を這いながら進行する火花が鋭角で電界の集中する凸部頂点に到達し易くなり、セミ沿面接地電極と中心電極間における着火性が良好に維持される。これら電極間の火花は絶縁碍子先端面を這うよう進行するため、例えば図８における領域Ｃのような、凸部頂点より後方側において火花による消耗が進行する。
【００１０】
そこで上記のごとく、先端部に貴金属チップを有する中心電極に形成された凸部の頂点から軸線方向後方側１．５ｍｍの位置において放熱促進用金属部が存在する構成とすれば、その放熱促進用金属部により電極温度の上昇を抑制できる。加えてその１．５ｍｍの位置において電極母材の肉厚が０．６ｍｍ以上となるよう形成すれば、セミ沿面ギャップで火花放電する場合における消耗の進行に対する十分な肉厚を確保することができ、スパークプラグの性能の長期維持に寄与する。この放熱促進用金属部は、電極母材より熱伝導率が高く、かつ線膨張係数が大きい材質によって構成しているが、このように電極母材と放熱促進用金属部を異なる材質にて構成すると、熱収縮の違いにより消耗が進行して肉厚が薄くなった場合に、放熱促進用金属部が完全に露出する位置まで達しなくとも外部に飛び出るパンク現象が発生する可能性がある。上記のごとく、消耗の予想される部分の肉厚を十分とることによりこれが防止できる。
【００１１】
さらに上記構成に加え、中心電極の内部において、電極母材の火花ギャップ側先端を基点とする軸線方向における距離１．５ｍｍ未満の位置に放熱促進用金属部を形成するようにしてもよい。このように、放熱促進用金属部を前方側に伸ばすようにすれば、図８のような従来例と比較して放熱促進用金属部の中心電極に占める割合を維持しつつ電極母材を厚くすることができる。また、中心電極全体に隈なく放熱促進用金属部が配置されることとなり、中心電極全体の熱引きを効果的に向上しうる。
【００１２】
【発明の実施の形態】
本発明の実施の形態について図面を参照して説明する。
図１は本発明の一例たるスパークプラグ１００の部分断面図である。周知のように、アルミナ等からなる絶縁碍子１は、その後端部に沿面距離を稼ぐためのコルゲーション１Ａを、先端部に内燃機関の燃焼室に曝される脚長部１Ｂを備え、その軸中心には中心貫通孔１Ｃを備えている。中心貫通孔１Ｃには、貴金属チップを有する場合にはインコネル（商標名）６００又は６０１等の鉄６〜２０質量％、クロム１４〜２５質量％、その他の不純物３％以下、所望によりアルミニウム１〜２質量％含有し、残部として少なくともニッケルを５８質量％以上含有するニッケル系合金等からなる電極母材２ｎを少なくとも表層部に有する中心電極２が保持され、中心電極２は絶縁碍子１の先端面から突出するようにされている。
【００１３】
中心電極２は中心貫通孔１Ｃの内部に設けられたセラミック抵抗３を経由して上方の端子金具４に電気的に接続されている。端子金具４には図示しない高圧ケーブルが接続され高電圧が印加される。上記絶縁碍子１は主体金具５に囲まれ保持部５１及びかしめ部５Ｃによって支持されている。主体金具５は低炭素鋼材で形成され、スパークプラグレンチと嵌合する工具係合部（六角部５Ａ）と、ねじの呼びが例えばＭ１４Ｓのねじ部５Ｂとを備えている。主体金具５はそのかしめ部５Ｃにより絶縁碍子１にかしめられ、主体金具５と絶縁碍子１が一体にされる。かしめによる密閉を完全なものとするため、主体金具５と絶縁碍子１との間に板状のパッキング部材６とワイヤ状のシール部材７，８が介在され、シール部材７，８の間にはタルク（滑石）９の粉末が充填されている。また、ねじ部５Ｂの後端、即ち、主体金具５の座面５２にはガスケット１０が嵌挿されている。
【００１４】
主体金具５の先端面５Ｄには、少なくとも表層部をなす母材がニッケル合金からなる平行接地電極１１が溶接により接合されている。平行接地電極１１は中心電極２の先端面と軸方向に対向し、中心電極２と平行接地電極１１とで主気中ギャップ（α）を形成している。また、例えば六角部５Ａの対辺寸法は１６ｍｍであり、主体金具５の座面５２から先端面５Ｄまでの長さは例えば１９ｍｍに設定されている。この寸法設定は、ＪＩＳ：Ｂ  ８０３１に規定されている１４ｍｍ小形六角形の、Ａ寸法が１９ｍｍのスパークプラグの基準寸法である。なお、平行接地電極１１は、その先端部の温度を低減させ、火花消耗を抑えるために、内部に母材よりも熱伝導性の良好な材料（例えばＣｕや純Ｎｉ又はその複合材料等）からなる良熱伝導材を有していても良い。ここまでは従来のスパークプラグと同じである。
【００１５】
この実施の形態に係るスパークプラグ１００では、平行接地電極１１とは別に、複数のセミ沿面接地電極１２を備えている。セミ沿面接地電極１２は少なくとも表層部をなす母材がニッケル合金からなり、その一端が主体金具５の先端面５Ｄに溶接により接合され、他端の端面１２Ｃが中心電極２の側周面２Ａ若しくは脚長部１Ｂの側周面１Ｅに対向するように配設されている。図３の底面図に示すように、２個のセミ沿面接地電極１２はそれぞれ平行接地電極１１から９０゜ずれた位置に配設され、セミ沿面接地電極１２同士は略１８０゜ずれた位置に配設されている。
【００１６】
また、図３は、絶縁碍子１の先端部を軸線３０の方向前方側から平面視した状態を表しているが、セミ沿面接地電極１２は他端の端面１２Ｃにおいて、絶縁碍子１の中心貫通孔１Ｃの先端開口径よりも大きな幅を有するものとなっている。図２に示すように、各セミ沿面接地電極１２の端面１２Ｃと中心電極２の側周面２Ａとの間にはセミ沿面ギャップ（β）（図１）が所定のギャップ間隔βにてそれぞれ形成され、各セミ沿面接地電極１２の端面１２Ｃと脚長部１Ｂの側周面１Ｅとの間でセミ沿面碍子ギャップ（γ）（図１）が所定のギャップ間隔γにてそれぞれ形成されている。また、平行接地電極１１の中心電極２と対向する側面１１Ａと中心電極２の前方側先端面２Ｂとの間で主気中ギャップ（α）がギャップ間隔αにて形成され、さらに、絶縁碍子１の先端より前方側に突出する中心電極１の先端面２Ｂと絶縁碍子１の先端との距離Ｈ（以下、「突き出し量Ｈ」ともいう）が所定の値となるよう設定される。なお、軸線方向における絶縁碍子１の先端面高さ位置とセミ沿面接地電極の端面１２Ｃの後端側縁の高さ位置の距離が所定距離Ｅｍｍとなっている。なお、これらα、β、γ、Ｅ、Ｈの数値は下記の関係に設定するとよい。即ち、０．７ｍｍ≦α（ｍｍ）≦（０．８（β−γ）＋γ）（ｍｍ）とすると、正常時においても所定割合でセミ沿面ギャップの火花放電を起こさせることができる。なお、β、γ、Ｅ、Ｈについては、以下の関係、即ち、β（ｍｍ）≦２．２ｍｍ、０．４ｍｍ≦γ（ｍｍ）≦（α−０．１）（ｍｍ）、Ｅ（ｍｍ）≦０．５ｍｍ、及び１．０ｍｍ≦Ｈ（ｍｍ）≦４．０ｍｍをそれぞれ満たすように調整される。
【００１７】
β（ｍｍ）≦２．２ｍｍ、０．４ｍｍ≦γ（ｍｍ）≦（α−０．１）（ｍｍ）とすると、絶縁碍子の表面が「くすぶり」の状態になった時にセミ沿面接地電極と中心電極との間で、より確実に、セミ沿面放電を生じさせることができる。セミ沿面ギャップの距離βが２．２ｍｍより大きいと、セミ沿面接地電極と中心電極との間で放電が生ぜず、中心電極と主体金具の絶縁碍子取付部付近との間で絶縁碍子の脚長部表面に沿って放電する、いわゆるフラッシュオーバーが発生する確率が高くなる。また、セミ沿面碍子ギャップ（γ）の距離γが０．４ｍｍより小さいと、セミ沿面接地電極と絶縁碍子との間にカーボンによるブリッジが生じ放電不能になる確率が高くなる。
【００１８】
一方、前記セミ沿面碍子ギャップ（γ）の距離γが主気中ギャップ（α）の距離α−０．１ｍｍより大きくなると、「くすぶり」時においても、セミ沿面接地電極との間のセミ沿面ギャップ（γ）で放電するより、平行電極との間の主気中ギャップ（α）で放電してしまう確率が高くなる。
【００１９】
また、Ｅ≦＋０．５（＋はセミ沿面接地電極の端面の下端縁が絶縁碍子の先端面から前方に離れる方向）とすると、セミ沿面放電の火花による絶縁碍子表面の火花清浄作用を効果的に維持することができる。Ｅが＋０．５ｍｍより大きいと、セミ沿面放電の火花が絶縁碍子の先端面に密着せず、絶縁碍子表面の火花清浄作用の効果が低下する。
【００２０】
さらに、１．０≦Ｈ≦４．０とすると、セミ沿面放電による中心電極の電極消耗を小さく抑制することができる。さらに、平行接地電極との間の主気中ギャップ（α）での火花放電による着火性と、セミ沿面接地電極のセミ沿面放電による着火性との乖離を小さくすることができ、放電電極の変化に伴う着火性の変化による内燃機関のトルク変動を極力抑制することができる。中心電極の突き出し量Ｈが１．０ｍｍより小さいと中心電極側周の電極消耗が大きくなる。
【００２１】
一方、中心電極の突き出し量Ｈが４．０ｍｍより大きいとセミ沿面放電による着火性が主気中ギャップ（α）での着火性に比べて低下し、両者の着火性が乖離して好ましくない。また、中心電極の温度が高くなり過ぎ、プレイグニッションを生ずる確率が高くなる。
【００２２】
なお、図３においては、セミ沿面接地電極１２の端面１２Ｃは平面状に形成されているが、絶縁碍子２の側周面に沿って略一様な間隔のセミ沿面ギャップが形成されるよう、端面１２Ｃを、例えば打抜加工等により絶縁碍子２の軸線３０を中心とする円筒面状に形成することもできる。
【００２３】
なお、セミ沿面接地電極１２も平行接地電極１１と同様に、内部にＣｕや純Ｎｉ又はその複合材料等からなる良熱伝導材を有していても良い。この場合、セミ沿面接地電極１２は、表層部を形成する母材と、内層部を形成するとともに母材よりも熱伝導性の良好な材料（例えばＣｕや純Ｎｉ又はその複合材料等）からなる良熱伝導材とを有するものとなる。
【００２４】
図４には、絶縁碍子１及び中心電極２における各部分の寸法、位置関係を説明するために、それらを中心電極２の軸線３０と平行な仮想平面に対して投影した場合のその正射影像を示している。図４に示されるように、中心電極２の先端部において前方側が縮径する縮径部が形成されるとともに、その縮径部の軸線３０の方向中間位置にその軸線３０に関する半径方向外向きに凸となる凸部が２ｋが形成されている。なお、図４（ａ）は、凸部２ｋの頂点Ｐ（以下、凸部頂点Ｐともいう）が絶縁碍子先端面１Ｄよりも軸線方向後方側に位置する形態のものを示し、図４（ｂ）では凸部頂点Ｐが絶縁碍子先端面１Ｄよりも軸線方向前方側に位置する形態について示している。
【００２５】
さらに、その軸線方向における凸部頂点Ｐと絶縁碍子先端の距離（図４（ａ）の例では、凸部頂点Ｐと絶縁碍子先端面１Ｄとの距離）Ｌ２が０．５ｍｍ以内に設定されている。かつ当該スパークプラグにおける内燃機関へ向かう側を前方側とした場合のその凸部頂点Ｐから軸線方向後方側における距離Ｌ３が１．５ｍｍの位置において、中心電極２の温度を低減させて火花消耗を抑えるために放熱促進用金属部２ｍが存在する。それとともに、そのＬ３が１．５ｍｍの位置において、その放熱促進用金属部２ｍの周りを囲む中心電極２の表層部を形成する電極母材２ｎの肉厚Ｗが０．６ｍｍ以上となるよう形成される。なお、Ｗが２Ｄ／５ｍｍ（なお、ここでいうＤはＬ３＝１．５ｍｍの位置における中心電極２の外径である（図４参照））を超えると、スパークプラグの小型化の弊害となるため、肉厚Ｗの範囲はＷ≦２Ｄ／５ｍｍとすることが望ましい。また、放熱用促進用金属部２ｍは、電極母材２ｎよりも熱伝導性に優れた材料とすることができる。例えば、放熱促進用金属部をＣｕ又はＣｕを主体とする合金にて構成することができる。
【００２６】
さらに、放熱促進用金属部２ｍは、中心電極２の内部において、電極母材２ｎの軸線方向における火花ギャップ側先端に放熱促進用金属部２ｎが達するように形成されるか、又はその火花ギャプ側先端には到達せず当該火花ギャップ先端を基点とする軸線方向における距離１．５ｍｍ以内の位置に形成される。換言すれば、軸線方向において放熱促進用金属部２ｍの軸線方向先端と電極母材２ｎの軸線方向先端の距離Ｌ１は、Ｌ１＝０ｍｍ（即ち、先端位置が一致）又は０ｍｍ＜Ｌ１≦１．５ｍｍとなるように設定される。なお、望ましくはその範囲においてＬ１が１．０ｍｍ以内となっているのがよい。
【００２７】
なお、放熱促進用金属部２ｍは、上記仮想平面において中心電極先端側に向かうほど、即ち前方側に向かうほどその外形線の幅（軸線に対する直交方向を幅方向とする）が狭くなるよう構成することができる。本実施例においては、放熱促進用金属部２ｍの前方側先端が尖鋭に構成されている。このようにすると、縮径する形で形成される中心電極２の先端部においても電極母材２ｎの肉厚を維持しつつ放熱促進用金属部２ｍを配置できることとなる。また、本実施例においては、軸線方向において凸部頂点Ｐよりも前方側において放熱促進用金属部２ｍが存在し、その放熱促進用金属部２ｍが後方側に続く構成となっている。
【００２８】
なお、本発明において、図５（ａ）のように、貴金属等を材質とする電極チップ１０５が電極母材２ｎの火花ギャップ側先端側に重ねられ、溶接等により一体的に形成されるものは、その電極チップ１０５と電極母材２の軸線３０上における境界を火花ギャップ側先端として規定する。また、図５（ｂ）のように、電極母材２ｎと電極チップ１０５の間に溶接による溶融部１０６が介在する場合には、その溶融部１０６に至る電極母材２ｎの軸線３０上の先端、即ち溶融部１０６と電極母材２ｎの軸線３０上における境界を電極母材先端位置として規定する。また、放熱促進用金属部２ｍの先端は、軸線方向前方側に最も突出する位置として規定する。
【００２９】
また、本発明において図６のように、正射影像において凸部２ｋの外形線が連続的に屈曲するような形状を有するスパークプラグにおいては、凸部頂点Ｐを以下のごとく規定する。即ち、図６（ｂ）の拡大図にて示されるように、その屈曲する凸部２ｋを挟んだ両側の直線部Ｓ１及びＳ２の外形線をそれぞれ延長する延長線Ａ，Ｂを設定し、それら延長線Ａ，Ｂの交点を凸部頂点Ｐとして規定する。そして、この凸部頂点Ｐと絶縁碍子先端の距離が上記範囲に設定されることとなる。また、本発明において、図７のように仮想平面における正射影像において絶縁碍子先端面の外面外形線が軸線３０と直交する直線でない場合には、当該絶縁碍子外面外形線上の軸線方向前方側における最先端位置を絶縁碍子先端として規定し、上記説明のごとく範囲調整を行う。また、上記したいずれの範囲設定についても、図４（ａ）のように、凸部頂点Ｐが絶縁碍子先端より後方側に位置する場合であっても、（ｂ）のように前方側に位置する場合であっても同様に適用可能である。
【００３０】
【実施例】
上記説明したスパークプラグについて本発明の効果を確認するために、以下の実験を行った。なお、実験を行うにあたり、図２のスパークプラグにおいて、接地電極を単一のセミ沿面接地電極のみにて構成したスパークプラグを作成した。即ち、図２のスパークプラグにおいて平行接地電極１１及び片方のセミ沿面接地電極１２を取り外したスパークプラグを実験対象とした。このスパークプラグにおいて、セミ沿面碍子ギャップ（γ）のギャップ間隔γを０．５ｍｍ、セミ沿面ギャップ（β）のギャップ間隔β（凸部頂点Ｐとセミ沿面接地電極端面との距離）を１．５ｍｍに設定した。また、凸部頂点Ｐと絶縁碍子先端面１Ｄの距離Ｌ２は０．２ｍｍとした。中心電極２と接地電極４の電極母材の材質としてはインコネル６００を使用した。なお、このように寸法が調整されたスパークプラグであって、凸部頂点からの軸線方向後方側１．５ｍｍの位置において電極母材の肉厚を０．３ｍｍ〜０．７ｍｍの範囲において０．１ｍｍ毎厚さ変更する形で形状調整したものをそれぞれ用意した。
【００３１】
上記スパークプラグを用い、冷熱サイクル試験を、スロットル全開状態、エンジン回転数５０００ｒｐｍでの運転を１分、アイドリングを１分行う運転サイクルを繰り返し２００時間行い、放熱促進用金属部の露出の有無を目視確認した。以上の結果を表１に示す。なお、放熱促進用金属部が露出したものを×、露出しなかったものを○として評価した。
【００３２】
【表１】
0004471516.tif 000002
【００３３】
表１に示される通り、後方側１．５ｍｍの位置において電極母材の肉厚が０．６ｍｍ以上のスパークプラグにおいては放熱用金属部の露出が確認されなかったのに対し、０．６ｍｍ未満のものにおいては放熱用金属部の露出が確認された。この冷熱サイクルの結果によれば、内部側１．５ｍｍの位置において肉厚０．６ｍｍ以上となるよう電極母材を形成すれば、耐消耗性効果が高いことが判明した。
【図面の簡単な説明】
【図１】本発明の一例たるスパークプラグの部分断面図。
【図２】図１のスパークプラグの電極近傍を拡大して示す部分断面図。
【図３】図２のスパークプラグの底面図。
【図４】軸線に平行な仮想平面における正射影像について概念的に示す図。
【図５】電極母材の先端位置の規定について説明する説明図。
【図６】曲面形状の凸部を有するスパークプラグについて示す要部断面図。
【図７】曲面先端を有する絶縁碍子の先端位置規定について説明する説明図。
【図８】従来のスパークプラグの一例について示す説明図。
【符号の説明】
１    絶縁碍子
１Ｄ  絶縁碍子の先端面
１Ｅ  絶縁碍子の側周面
２    中心電極
２ｋ  凸部
２ｎ  電極母材
２ｍ  放熱促進用金属部
５    主体金具
１１  平行接地電極
１２  セミ沿面接地電極
３０  中心軸線
（α）  主気中ギャップ
（β）  セミ沿面ギャップ
（γ）  セミ沿面碍子ギャップ
Ｐ  凸部頂点
【図１】
0004471516.tif 000003
【図２】
0004471516.tif 000004
【図３】
0004471516.tif 000005
【図４】
0004471516.tif 000006
【図５】
0004471516.tif 000007
【図６】
0004471516.tif 000008
【図７】
0004471516.tif 000009
【図８】
0004471516.tif 000010